(57)【要約】【課題】既存の光ノード機器が非冗長型の場合に、光ノード機器を冗長型へ交換することなく光伝送ルート冗長の構築を可能にし、既存機器を有効活用できるようにする。冗長型光ノードに比べてシンプルな構成でローコストな非冗長型光ノードを利用して光伝送ルート冗長を構築する。【解決手段】下り光送信側に光スイッチを備えた光信号切替器を配置し、光信号切替器と光ノード間の光伝送ルートを冗長化し、光信号切替器からの出力を冗長化されたいずれかの光伝送ルートに、前記光信号切替器により切替え送信可能とし、光伝送ルートで送信される下り光信号を前記光ノードに送信可能とした。光ノードの手前に光パッシブ構成機器を配置し、光伝送ルートで送信される下り光信号を、前記光パッシブ構成機器を介して光ノードへ送信可能とした。光ノードが受け持つ送信エリアを分割して夫々の分割エリアを受け持つ光ノードを増設し、光パッシブ構成機器からの出力を多分配して夫々の光ノードに分配できるようにした。【選択図】  図１
2010081492.tif 000002
【特許請求の範囲】
【請求項１】
ＣＡＴＶシステムのセンター装置であるヘッドエンド設備に配置される下り光送信側から光ノードへ光伝送する光伝送システムにおいて、
前記下り光送信側に光スイッチを備えた光信号切替器を配置し、
光信号切替器と光ノード間の光伝送ルートを冗長化し、
光信号切替器からの出力を冗長化されたいずれかの光伝送ルートに、前記光信号切替器により切替え送信可能とし、
光伝送ルートで送信される下り光信号を前記光ノードに送信可能としたことを特徴とする冗長型光伝送システム。
【請求項２】
請求項１記載の冗長型光伝送システムにおいて、光信号切替器を下り光送信側であるＣＡＴＶセンターのヘッドエンド設備へ配置したことを特徴とする冗長型光伝送システム。
【請求項３】
請求項１又は請求項２記載の冗長型光伝送システムにおいて、光ノードの手前に光パッシブ構成機器を配置し、
光伝送ルートで送信される下り光信号を、前記光パッシブ構成機器を介して光ノードへ送信可能としたことを特徴とする冗長型光伝送システム。
【請求項４】
請求項１乃至請求項３のいずれかに記載の冗長型光伝送システムにおいて、光ノードが受け持つ送信エリアを分割して夫々の分割エリアを受け持つ光ノードを増設し、光パッシブ構成機器からの出力を多分配して夫々の光ノードに分配することを特徴とする冗長型光伝送システム。
【請求項５】
請求項４記載の冗長型光伝送システムにおいて、複数の光ノードの夫々に内蔵される上り光送信器の光出力波長に異なる波長を割り当て、光パッシブ構成機器に送り、光パッシブ構成機器においてそれら異なる波長の上り光信号を波長多重して冗長化された光伝送ルートへ分配することを特徴とする冗長型光伝送システム。
【請求項６】
請求項１乃至請求項５のいずれかに記載の冗長型光伝送システムにおいて、センター側の下り光送信器と、光ノードに内蔵される上り光送信器の発光波長を異なるものにし、光信号切替器の入力側において下り光信号及び上り光信号を波長多重して共用の光伝送路で伝送し、波長多重光信号は冗長された光伝送ルートのいずれかへ光信号切替器により接続されて伝送され、その波長多重光信号は光パッシブ構成機器で分岐され、分岐光信号は夫々の波長へ分波されて光ノードへ送られるようにしたことを特徴とする冗長型光伝送システム。
【請求項７】
請求項１乃至請求項６のいずれかに記載の冗長型光伝送システムにおいて、下り光送信器から送信される下り光信号の波長と増設分を含む複数の光ノードの上り光送信器から送信される上り光信号の波長を異なるものにし、それら光信号を波長多重して伝送し、センター側において下り光送信器からの下り光信号と光ノードの上り光送信器からの波長多重上り信号を分波し、分波された波長多重上り信号を夫々の波長の光信号に分波し、光ノード側では光分岐器で下り光信号を分岐して増設される各光ノードへ光信号を分配し、この光分岐器の手前に下り光信号と上り光信号を分波する光波長フィルタと、各光ノードに内蔵される上り光送信器から出力される上り光信号を合波する光波長フィルタを備えたことを特徴とする冗長型光伝送システム。
【請求項８】
請求項１乃至請求項７のいずれかに記載の冗長型光伝送システムにおいて、その冗長型光伝送システムに存在する上り、下りの全ての光送信器の発光波長を異なるものにし、光送信器を出力レベルの高いものへ交換するか、下り光送信器の発光波長を１．５５μｍ帯のものにし、その下り光信号を光ファイバ増幅器で増幅して、光ノードへ到達する光信号レベルを確保することを特徴とする冗長型光伝送システム。
【請求項９】
請求項１乃至請求項８のいずれかに記載の冗長型光伝送システムにおいて、冗長ルートのいずれかで光ノード側へ伝送される下り光信号を、光パッシブ構成機器で分岐してモニタ信号として光送信側にフィードバックし、フィードバックされた下り光信号のレベルをモニタして光伝送ルートの異常を検出し、異常検出時に光信号送信側の出力系統を冗長ルートの他の光伝送ルートへ自動切替可能としたことを特徴とする冗長型光伝送システム。
【請求項１０】
請求項１乃至請求項９のいずれかに記載の冗長型光伝送システムにおいて、光信号切替器に、ＳＮＭＰエージェント機能を設け、外部のＳＮＭＰマネージャと接続することにより、機器の運用状態を監視又は／及び制御することができることを特徴とする冗長型光伝送システム。
【請求項１１】
請求項１乃至請求項１０のいずれかに記載の冗長型光伝送システムにおいて、光信号切替器へのモニタ用フィードバック光信号と、上り光信号を波長多重したことを特徴とする冗長型光伝送システム。
【請求項１２】
請求項１乃至請求項１１のいずれかに記載の冗長型光伝送システムにおいて、光信号切替器にＳＮＭＰエージェントを内蔵させることができ、必要に応じて、コンピュータと接続してＳＮＭＰマネージャによる機器の運用状態を監視又は／及び制御することを特徴とする冗長型光伝送システム。
【発明の詳細な説明】
【技術分野】
【０００１】
本発明は、光ファイバを用いたＣＡＴＶシステムに使用される冗長型光伝送システムに関するものである。
【背景技術】
【０００２】
従来の非冗長型光伝送システムの一例として図６に示すものがある。これは、ＣＡＴＶセンターのヘッドエンド設備に下り光送信器（Ｆ−Ｅ／Ｏ）と上り光受信器（Ｒ−Ｏ／Ｅ）があり、これらと対向となる光ノード機器（光Ｎｏｄｅ）に下り光受信器（Ｆ−Ｏ／Ｅ）と上り光送信器（Ｒ−Ｅ／Ｏ）がある。
【０００３】
ＣＡＴＶ事業設備の老朽化や伝送帯域等のアップグレード等のために、前記非冗長型光伝送システムを改修する必要が生じた場合、改修と同時にシステムを冗長化するケースが多い。
【０００４】
図６のような非冗長型光伝送システムを冗長型光伝送システムに変更する場合、図７のように下り光受信器（Ｆ−Ｏ／Ｅ（Ａ）、Ｆ−Ｏ／Ｅ（Ｂ））を２台搭載できる冗長型光ノード（光Ｎｏｄｅ）を使用する方法が一般的である。その理由は、非冗長型光送信システムの光ノード機器に光スイッチを内蔵して光伝送ルートを切替える冗長型光ノードに変更すると、光スイッチが高価であることから、図７のように下り光受信器（Ｆ−Ｏ／Ｅ（Ａ）、Ｆ−Ｏ／Ｅ（Ｂ））を２台搭載する冗長型光ノードを使用する場合よりも光ノード機器としてのコストが高くなることによる。
【０００５】
下り光受信器（Ｆ−Ｏ／Ｅ（Ａ）、Ｆ−Ｏ／Ｅ（Ｂ））を２台搭載した図７の冗長型光ノードでは、冗長された各ルートにおいて光信号の異常を検出するために２台の下り光受信器（Ｆ−Ｏ／Ｅ（Ａ）、Ｆ−Ｏ／Ｅ（Ｂ））の各々により光信号レベルをモニタし、運用系ルートに光ファイバ断線等の異常が発生すると、ＲＦＳＷ（ＲＦ切替器）により自動的に正常動作可能な別ルートの非運用系光伝送ルートに切替わるようにしてある。
【０００６】
現状のＣＡＴＶインフラでは、加入者への提供サービスとして、インターネットやプライマリーフォン等の展開、またはそれら展開を予定している状況にあるが、これらは重要なライフラインであるという観点から、インフラシステムの信頼性をより一層確保する必要があり、システムの冗長化は必須となる背景がある。このため、光伝送システムに使用されている光ノード機器が冗長対応型でない場合は、光送信システム導入後の運用年数が比較的若い機器であっても冗長化するために機器を交換しなければならない。
【０００７】
今後、ＣＡＴＶインフラの高速化に伴って光ノードをセル分割する場合、分割数に応じた光ノード機器の増設が必要となるが、冗長型光ノードは非冗長型に比して高価であるため他のインフラとの競争においてシステムコストの面で不利になることが予想される。また、将来、機器の老朽化により生じるメンテナンスコストに対しても同様のことが考えられる。
【０００８】
光ノード機器を冗長型へ置き換える場合、機器の運用状態を監視する目的で、一般的には、運用されているＣＡＴＶシステム機器のステータスモニタシステムが冗長型に対応可能かどうかを確認する必要がある。ＣＡＴＶ事業者の現在使用中のバージョンが新たに設置する光ノード機器に対応していなければステータスモニタシステムをバージョンアップする費用が別途必要となる。また、ステータスモニタシステムは各メーカーにより異なる形態であることから互換性のない可能性が高いため、コストを考慮して使用できる機器メーカーを限定するか、光ノード機器以外にステータスモニタシステムを含めた大規模な設備投資が必要になる。
【０００９】
一般的に、機能が増える冗長型光ノードはシンプルな構成の非冗長型光ノードに比べて消費電力が大きくなる傾向にある。機器への電源供給器の容量とその使用率の兼ね合いから、場合によっては光ノード機器の置き換えにより電源供給器を増設しなければならないケースも予想される。このため、システム伝送路上のフィールドで使用されている機器への電源供給容量が光ノード機器を冗長型へ置き換える際に問題ないかどうかについても確認する必要がある。
【発明の開示】
【発明が解決しようとする課題】
【００１０】
本発明の課題は次の点にある。
（１）非冗長型光伝送システムで運用されている施設において、既存の光ノード機器が非冗長型の場合は、光ノード機器を冗長型へ交換することなく光伝送ルート冗長の構築を可能にし、既存機器を有効活用できるようにする。
（２）冗長型光ノードに比べてシンプルな構成でローコストな非冗長型光ノードを利用して光伝送ルート冗長を構築することにより、機器の老朽化等を含むメンテナンス時に発生する費用を抑えることができるようにする。
（３）インフラの高速化に伴って、一つの光ノードに対するサービスエリア（世帯数）をこれまで以上に少なくセル分割して小セル化へ拡張可能であり、将来性のあるシステムをローコストでＣＡＴＶ事業者へ提供する。
（４）従来からＣＡＴＶシステムで使用されているステータスモニタシステムのバージョンやメーカー等の互換性を考慮することなく光伝送システムへ取り入れることができ、遠隔による装置運用状態の監視及び制御機能を維持する。
（５）光伝送路フィールドにおいて、電源供給が必要な機器の増設を伴わずに光伝送ルート冗長システムを構築することにより、電源供給系システムを変更することなく既存状態で活用できるようにする。
【課題を解決するための手段】
【００１１】
本発明の冗長型光伝送システムは請求項１記載のように、ＣＡＴＶシステムの下り光送信側から光ノードへ光伝送する光伝送システムにおいて、前記下り光送信側に光スイッチを備えた光信号切替器を配置し、光信号切替器と光ノード間の光伝送ルートを冗長化し、光信号切替器からの出力を冗長化されたいずれかの光伝送ルートに、前記光信号切替器により切替え送信可能とし、光伝送ルートで送信される下り光信号を前記光ノードに送信可能としたシステムである。請求項２記載のように、光信号切替器を下り光送信側であるＣＡＴＶセンターのヘッドエンド設備へ配置することができる。請求項３記載のように、光ノードの手前に光パッシブ構成機器を配置し、光伝送ルートで送信される下り光信号を、前記光パッシブ構成機器を介して光ノードへ送信可能とすることもできる。請求項４記載のように、光ノードが受け持つ送信エリアを分割して夫々の分割エリアを受け持つ光ノードを増設し、光パッシブ構成機器からの出力を多分配して夫々の光ノードに分配することもできる。請求項５記載のように、複数の光ノードの夫々に内蔵される上り光送信器の光出力波長に異なる波長を割り当て、光パッシブ構成機器に送り、光パッシブ構成機器においてそれら異なる波長の上り光信号を波長多重して冗長化された光伝送ルートへ分配することもできる。請求項６記載のように、センター側の下り光送信器と、光ノードに内蔵される上り光送信器の発光波長を異なるものにし、光信号切替器の入力側において下り光信号及び上り光信号を波長多重して共用の光伝送路で伝送し、波長多重光信号は冗長された光伝送ルートのいずれかへ光信号切替器により接続されて伝送され、その波長多重光信号は光パッシブ構成機器で分岐され、分岐光信号は夫々の波長へ分波されて光ノードへ送られるようにすることもできる。請求項７記載のように、下り光送信器から送信される下り光信号の波長と増設分を含む複数の光ノードの上り光送信器から送信される上り光信号の波長を異なるものにし、それら光信号を波長多重して伝送し、センター側において下り光送信器からの下り光信号と光ノードの上り光送信器からの波長多重上り信号を分波し、分波された波長多重上り信号を夫々の波長の光信号に分波し、光ノード側では光分岐器で下り光信号を分岐して増設される各光ノードへ光信号を分配し、この光分岐器の手前に下り光信号と上り光信号を分波する光波長フィルタと、各光ノードに内蔵される上り光送信器から出力される上り光信号を合波する光波長フィルタを備えたものとすることもできる。請求項８記載のように、冗長型光伝送システムに存在する上り、下りの全ての光送信器の発光波長を異なるものにし、光送信器を出力レベルの高いものへ交換するか、下り光送信器の発光波長を１．５５μｍ帯のものにし、その下り光信号を光ファイバ増幅器で増幅して、光ノードへ到達する光信号レベルを確保することもできる。請求項９記載のように、冗長ルートのいずれかで光ノード側へ伝送される下り光信号を、光パッシブ構成機器で分岐してモニタ信号として下り光送信側にフィードバックし、フィードバックされた下り光信号のレベルをモニタして光伝送ルートの異常を検出し、異常検出時に下り光信号送信側の出力系統を���長ルートの他の光伝送ルートへ自動切替可能とすることもできる。請求項１０記載のように、光信号切替器に、例えばＬＡＮ配線に接続して運用することのできるＳＮＭＰエージェント機能を設け、外部のＳＮＭＰマネージャを接続することにより、機器の運用状態を監視又は／及び制御することもできる。請求項１１記載のように、光信号切替器へのモニタ用フィードバック光信号と、上り光信号を波長多重することもできる。請求項１２記載のように、光信号切替器に例えばＬＡＮ配線に接続して運用することが可能なＳＮＭＰエージェントを内蔵させることができ、必要に応じて、コンピュータと接続してＳＮＭＰマネージャによる機器の運用状態を監視又は／及び制御することもできる。
【発明の効果】
【００１２】
本発明の冗長型光伝送システムは次のような効果がある。
（１）光信号切替器を使用することにより、既存の非冗長型の光ノードをそのまま活用して、シンプルな光伝送ルート冗長を構築でき、既存の光ノード以降のＣＡＴＶインフラであるＨＦＣシステムをそのまま活用することができる。
（２）既存の光ノードが老朽化した場合に、比較的ローコストでシンプルな構成の非冗長型ノードで対応可能なため、将来のメンテナンスコストを削減することもできる。
（３）光信号切替器を光送信側であるＣＡＴＶセンターのヘッドエンド設備へ配置することにより、屋外増設時に装置への電源供給面で障害となる屋外配線や電源供給器の供給容量などを考慮する必要がない。
（４）光ノードへの下り光信号レベルを確保するために、下り光送信系を、光ファイバ増幅器を使用するシステムにした場合でも、光伝送エリアのセル分割が構築できるので、既存の光伝送システムのグレードアップが可能である。
（５）既設の光ノードが本来受け持つエリアを細分化して小セル化し、小セル化された夫々のエリアを受け持つ光ノードを増設し、光パッシブ構成機器において光伝送ルート結合出力を多分配して、増設された光ノードの夫々へ接続することにより、光送信側の一つの光信号切替器で複数ノードの光伝送ルートを冗長化可能としたので、増設される個々の光ノードと光パッシブ構成機器の間の光伝送ルートを冗長化する必要がない場合のシステム拡張に適し、光伝送ルートを冗長化する場合よりも使用する光ファイバの数が少なくなり、簡素なシステムでシステムの増設と低コスト化を両立することができる。
（６）光伝送システムを、将来、小セル化に拡張する際に、光信号切替器を１台増設し、伝送する複数の光信号の波長を異なるものにして光波長多重化することにより、簡潔な光伝送システムを比較的容易に構築することが可能となる。
（７）光パッシブ構成機器に光カプラを設けて、光ノードへ接続されるポートとは別にもう一つの出力ポートを設けることができ、その出力ポートから出力される光信号を光ノードへの到達光信号のレベルモニタ用として光送信側にフィードバックしてモニタし、運用系の光伝送ルートが障害発生などによりモニタレベルが低下した場合に、送信側の光信号切替器の出力系統をそれまで非運用であった光伝送ルートへ自動的に切替わるようなシステムを実用化することができる。
（８）下り光信号と上り光信号の両方の光信号を波長多重化すれば、上り光受信器を冗長対応型へ交換することなく、両光信号を１心の光ファイバで伝送して、１台の光信号切替器で光伝送ルートを切替えて冗長化できるので、上り光受信器以降のメンテナンスを含めたコスト削減につながる。
（９）光伝送システムに存在する上り・下りの全ての光送信器の発光波長を別にし、光信号切替器へのモニタ用フィードバック光信号と、夫々の光ノードからの上り光信号を、例えば光パッシブ構成機器における光波長フィルタで合波して多重化する上り光信号を波長多重化するので、使用する光ファイバ心数を少なくすることができる。
（１０）下り光送信器及び増設分を含む複数の光ノードの夫々に内蔵される上り光送信器の光出力波長に夫々異なる波長を割り当て、それらの光信号を波長多重して１心の光ファイバで伝送し、光パッシブ構成機器においてそれら波長多重光信号を単一波長光信号に分波し、その光信号を光分配器から冗長された光伝送ルートへ分配するようにしたので、使用する光ファイバ心数を少なく抑えることができ、光ノードが分担するエリアのセル分割を実現することができる。
（１１）光送信器を出力レベルの高いものへ交換するか、光送信器の発光波長を１．５５μｍ帯のものへ交換し、光ファイバ増幅器を使用して光ノードへ到達する光受信レベルを確保するようにした場合、１．３１μｍ帯の光送信器と比べて非常に高い出力レベルを得ることが可能となり、各光ノードエリアへ出力を多分配することができ、高価な光送信器の数を減らすことができる。下り信号に１５５０ｎｍの波長を使用した場合は、既存の光ノードに内蔵されている光送信器の発光波長がＣＡＴＶシステムにおいては１．３１μｍ帯であるのが一般的であるため、セル分割された増設分の光ノードに内蔵される光送信器の光信号波長をそれとは異なる波長でシステムを構成することにより、既存ノードをそのままで有効活用することができる。
（１２）ＳＮＭＰエージェント機能を光信号切替器に設けておき、コンピュータと接続してＳＮＭＰマネージャを使用して機器の運用状態を監視することができるようにしたので、光信号切替器の遠隔監視や運用系の強制切替制御等が可能となる。
（１３）ＳＮＭＰによる運用を容易に構築できるため、従来からＣＡＴＶシステムで使用されているステータスモニタシステムとの互換性等を考慮することなく、システムへ取り入れることができる。
（１４）下り光送信側の既存の光送信器をナローキャスト用に使用できるので、既存機器の有効活用ができる。ＣＡＴＶ施設において、ＣＡＴＶインターネットの高速化等の理由で、あるエリアに対して他エリアとは異なる信号を配信するシステムに対応することができる。
（１５）既存の下り光送信器はＣＡＴＶシステムでは１．３１μｍ帯が一般的であるため、前述の光受信器への到達光レベル確保のために構築された１．５５μｍ帯の下り光送信器と、光ファイバ増幅器からなる光送信系統を、主に共通して配信される映像信号等の配信ブロードキャスト用とした場合、これと光波長フィルタを介して合波して波長多重伝送することができる。この場合、光信号切替器にモニタ用途としてフィードバックされる光信号に１．３１μｍ帯が含まれるが、光パッシブ構成機器に、合波される手前にもう一つの１．５５μｍ帯を入力とする光波長フィルタを設けることにより、既存の光ノードに内蔵される上り光送信器の光信号と、ここで、下り光信号であるナローキャスト用途の光信号はカットされる。
【発明を実施するための最良の形態】
【００１３】
（実施形態１：図１の構成）
本発明の冗長型光伝送システムの一例を図１に示す。図１では下り光送信器（Ｆ−Ｅ／Ｏ）１−光信号切替器２−冗長された光伝送ルートＡ、Ｂ−光パッシブコンポーネント（光パッシブ構成機器）３−光ノード４のシステム構成にし、光信号切替器２を下り光送信側であるＣＡＴＶセンターのヘッドエンド設備へ配置し、光パッシブ構成機器３を光ノード４の手前に配置してある。
【００１４】
光信号切替器２には光スイッチ（ＯＰＴ ＳＷ）５、二つの光レベル検波回路（ＤＥＴ（Ａ）、（Ｂ））６、７、コントローラ（Cont）８を設け、下り光送信側であるＣＡＴＶセンターのヘッドエンド設備に二つの上り光受信器（Ｒ−Ｏ／Ｅ(Ａ)、（Ｂ））１０、１１を配置し、その先にＲＦスイッチ（ＲＦＳＷ）１２を設けてある。
【００１５】
光パッシブ構成機器３には光カプラ（Optical coupler）１３、二つの光分配器１４、１５が設けられ、光ノード４に既存の非冗長型の光ノードが使用されている。光ノード４には新設の非冗長型又は冗長型の光ノードを使用することもできる。図１では光信号切替器２と光パッシブ構成機器３の間の光伝送ルートＡ、Ｂが冗長化されており、両光伝送ルートＡ、Ｂのいずれか一方を運用系とし、運用系の光伝送ルートに異常が発生するとその異常を自動的に検知して、非運用系（他方）の光伝送ルートに自動的に切替わるようにしてある。
【００１６】
前記光パッシブ構成機器３は、光伝送路上に存在する光クロージャ（光接続箱）へ収納するか、光ノード機器へ収納するか、またはこれらを収納する目的で専用に作られた光パッシブ構成機器等に収納することができる。
【００１７】
（図１の動作説明）
図１の下り光送信器（Ｆ−Ｅ／Ｏ）１から出力される下り光信号は光信号切替器２に入射され、光信号切替器２における光スイッチ５によって、冗長された光伝送ルートＡ、Ｂのいずれか一方（例えば、運用系の光伝送ルートＡ）へ出力される。出力された光信号は光パッシブ構成機器３の光分岐カプラ（例えば２×２光分岐カプラ）１３に入力され、一方の出力ポートに出力された分岐光信号は光ノード４の下り光受信器（Ｆ−Ｏ／Ｅ）１６に入力され、電気信号に変換されて双方向増幅器１７を経て後段システムの増幅器等に出力される。
【００１８】
図１の光カプラ（例えば２×２光カプラ）１３の他方の出力ポートに出力された分岐光信号は１×２の光分配器１４へ入力され、光分配器１４から冗長された光伝送ルートＡ、Ｂを通って光信号切替器２の光レベル検知器（ＤＥＴ（Ａ）、ＤＥＴ（Ｂ））６、７にフィードバックされて下り光信号のレベルがモニタされる。運用系の光伝送ルートＡの光ファイバに断線等の異常があってモニタレベルが低下すると（異常検出時に）、光信号切替器２のコントローラ８により光スイッチ５が制御されて出力系統が正常動作の非運用系の光伝送ルートＢに自動的に切替えられる。光伝送ルートの切替え後に光ノード４への到達光レベルが正常に復帰したかどうかは、切替後の光信号を光分岐カプラ１３−光分配器１４−冗長された光伝送ルートＡ、Ｂ−光レベル検知器（ＤＥＴ（Ａ）、ＤＥＴ（Ｂ））６、７にフィードバックされてモニタされる。
【００１９】
前記光信号切替器２にはＬＡＮ配線に接続して運用することが可能なＳＮＭＰエージェント９を内蔵させておくことができ、その場合は、必要に応じて、コンピュータと接続してＳＮＭＰマネージャにより、光信号切替器２の遠隔監視や運用系の強制切替制御等が可能となる。
【００２０】
図１の場合、ＣＡＴＶインフラが持つ双方向システムの上り信号については、光ノード４に内蔵された上り光送信器（Ｒ−Ｏ／Ｅ）１８から出力される光信号を、光パッシブ構成機器３における１×２の光カプラ１５で分岐して、冗長された光伝送ルートＡ、Ｂへ分配することができる。この場合、光送信側に設置されている、例えば冗長対応型の上り光受信器（Ｒ−Ｏ／Ｅ（Ａ）、Ｒ−Ｏ／Ｅ（Ｂ））１０、１１で光信号を電気信号に変換した後、その光受信レベル又は変換されたＲＦ信号レベルをモニタすることにより、運用系に破断等の障害が発生してモニタレベルが低下した場合に、光信号出力系統をＲＦスイッチ１２にて非運用系光伝送ルートへ切り替えることができる。
【００２１】
（実施形態２：図２の構成）
本発明の冗長型光伝送システムの第２の実施形態を図２に示す。図２の実施形態は、既存の光ノードが分担していたエリアをセル分割して小セル化し、夫々のセルに対応して光ノード４ａ〜４ｄを設けた（増設した）実施形態である。光ノードをセル分割して光ノードを増設する場合、図６に示される構成機器すべてをセルの増加分だけ増設する方法も考えられるが、この増設方法はシステム拡張に対するコストを考慮すると得策ではないので、図２のように光ノード４ａ〜４ｄ側へ設置される光パッシブ構成機器３に例えば１×４等の光カプラ２０を用いて夫々の光ノード４ａ〜４ｄに分配する方が有用と考えられる。図２はその一例であり、光ノード４ａ〜４ｄ側の光パッシブ構成機器３において光伝送ルート結合出力を多分配して、夫々の光ノード４ａ〜４ｄに接続することにより、一つの光信号切替器２で複数ノードの光伝送ルートを冗長化できるようにしてある。
【００２２】
図２は分配される光信号を既設の光ノード４ａと、増設された光ノード４ｂ〜４ｄへ接続する冗長型光伝送システムである。増設された光ノード４ｂ〜４ｄは既設の光ノード４ａ（図１の光ノード４）が元々受け持つエリアを細分化して小セル化されるごく狭いエリア内に設置されることから、増設される個々の光ノード４ｂ〜４ｄと光パッシブ構成機器３の間の光伝送ルートを冗長化する必要がないと判断できる場合のシステム拡張に適する。この場合は、図２のような簡潔な構成でシステムの増設と低コスト化を両立することができる。
【００２３】
図２の冗長型光伝送システムでは、上り信号の光伝送ルートを冗長化する場合に使用される光ファイバ使用心数を考慮すると、波長多重によるシステム化が考えられる。この場合は、光ノード４ａ〜４ｄに内蔵される上り光送信器（Ｒ−Ｅ／Ｏ）１８の光出力波長の夫々に異なる波長を割り当て、それら波長の信号を多重化できるようにするため、光パッシブ構成機器３に光波長フィルタ（ＷＤＭ）２１を設け、下り光送信器（Ｆ−Ｅ／Ｏ）１側であるＣＡＴＶセンターのヘッドエンド設備に二つの光波長フィルタ（ＷＤＭ）２４、２５と、光ノード４ａ〜４ｄの数に対応した数（図２では４セット）の上り光受信器（Ｒ−Ｏ／Ｅ（Ａ）、（Ｂ））１０、１１を配置してある。
【００２４】
（図２の動作説明）
図２の下り光送信器（Ｆ−Ｅ／Ｏ）１から出力される下り光信号は光信号切替器２における光スイッチ５によって、冗長された光伝送ルートＡ、Ｂのいずれか一方（例えば、運用系の光伝送ルートＡ）へ出力され、出力された光信号は光パッシブ構成機器３の光カプラ（例えば２×２）１３で分岐され、一方のポートから出力される分岐信号は光カプラ（例えば１×４）２０に入力され、そこで４分岐されて夫々の光ノード４ａ〜４ｄの下り信号光受信器（Ｆ−Ｏ／Ｅ）１６に入力され、電気信号に変換されて双方向増幅器１７を経て後段システムの増幅器等に出力される。この場合、光パッシブ構成機器３の光カプラ１３で分岐されて他方のポートから出力される分岐信号は光パッシブ構成機器３の光分配器１４に送られ、そこで２分配されて夫々の光伝送ルートＡ、Ｂに送られ、光信号切替器２の光レベル検波器（ＤＥＴ（Ａ）、ＤＥＴ（Ｂ））にフィードバックされて光ノード４ａ〜４ｄに送られる下り光信号の光レベルが検知される。運用系の光伝送ルートＡの光ファイバに断線等の異常があってモニタレベルが低下すると（異常検出時に）、光信号切替器２のコントローラ８により光スイッチ５が制御されて出力系統が正常動作の非運用系の光伝送ルートＢに自動的に切替えられる。光伝送ルートの切替え後に光ノード４への到達光レベルが正常に復帰したかどうかは、切替後の光信号を光分岐カプラ１３−光分配器１４−冗長された光伝送ルートＡ、Ｂ−光レベル検知器（ＤＥＴ（Ａ）、ＤＥＴ（Ｂ））６、７にフィードバックされてモニタされる。
【００２５】
図２の光ノード４ａ〜４ｄの上り光送信器（Ｒ−Ｅ／Ｏ）１８からの送信される上り光信号は波長多重して伝送される。この場合、各上り光送信器（Ｒ−Ｅ／Ｏ）１８の光出力波長の夫々に別の波長を割り当て、光パッシブ構成機器３の光波長フィルタ（ＷＤＭ）２１で光ノード４ａ〜４ｄからの光信号を合波する。光波長フィルタ（ＷＤＭ）２１を使用した波長多重にはＣＷＤＭ（Coarse Wavelength Division Multiplexing：20nm程度の波長間隔で多重化する）やＤＷＤＭ（Dense Wavelength Division Multiplexing：ＣＷＤＭより短い０．４ｎｍ〜０．８ｎｍ間隔で波長多重する高密度波長分割多重）といった波長分割多重(ＷＤＭ)方式を用いることができる。これにより、使用する光ファイバの使用心数を削減することができる。
【００２６】
光波長フィルタ（ＷＤＭ）２１で合波された光信号は１×２の光分配器１５で２分配されて光伝送ルートＡ、Ｂへ送られ、下り光送信側に設置されている光波長フィルタ（ＷＤＭ−Ａ、ＷＤＭ−Ｂ）２４、２５で分波されて、例えば冗長対応型の上り光受信器（Ｒ−Ｏ／Ｅ（Ａ）、Ｒ−Ｏ／Ｅ（Ｂ））１０、１１で光信号が電気信号に変換される。その光受信レベル又は変換されたＲＦ信号レベルをモニタすることにより、運用系に破断等の障害が発生してモニタレベルが低下した場合に、光信号出力系統をＲＦスイッチ１２にて非運用系光伝送ルートへ切り替えて光冗長を構成することもできる。
【００２７】
図２でも、光信号切替器２にはＬＡＮ配線に接続して運用することが可能なＳＮＭＰエージェント９を内蔵させておくことができ、必要に応じて、コンピュータと接続してＳＮＭＰマネージャにより機器の運用状態を監視することができる。
【００２８】
（実施形態３：図３の構成）
本発明の冗長型光伝送システムの第３の実施形態を図３に示す。図３の実施形態は使用する光ファイバ心数を最小限に抑えることができるようにした冗長型光伝送システムの一つである。図１、図２のように光信号切替器２及び光パッシブ構成機器３を用いて冗長化するシステムでは、各光伝送ルートＡ、Ｂとして上り用と下り用の光ファイバが別々に必要であるため、モニタ信号フィードバック用の光ファイバと合せて３心ずつの光ファイバを使用することになり、図６、図７の従来システムよりも使用する光ファイバ心数が増える。現在一般的に使用されている光ファイバケーブルは４心以上の多心テープ心線を用いるケースが多いため、予備として未使用になっている心線を用いることができれば、このままのシステムでも対応することが可能であるが、稀に、予備の心線がない場合や、ＣＡＴＶ事業者以外で保有する光ファイバを使用し、使用料等の費用が別途必要な場合、増設による費用やランニングコストの増加が発生し、本システム導入の障害となる可能性がある。図３の実施形態は前記諸問題を回避して使用する光ファイバ心数を最小限に抑える冗長型光伝送システムの一つである。
【００２９】
図３の冗長型光伝送システムは下り光信号と上り光信号を波長多重して１本の光ファイバで光伝送できるようにしてあり、センター側へ光信号切替器２を、光ノード４の手前に光パッシブ構成機器３を設置することにおいて図１の冗長型光伝送システムと同様であり、図１の冗長型光伝送システムと異なるのは光信号切替器２に下り光送信器（Ｆ−Ｅ／Ｏ）１からの光信号と波長多重される上り信号を分波する光波長フィルタ（ＷＤＭ）３０が配置され、光パッシブ構成機器３に、波長多重された上り信号を分波する光波長フィルタ（ＷＤＭ）３１を備えることである。光波長フィルタ（ＷＤＭ）３０は光信号切替器２の外部手前に設けることもできる。
【００３０】
（図３の動作説明）
図３のシステムでは下り光送信器（Ｆ−Ｅ／Ｏ）１と光ノード４に内蔵される上り光送信器（Ｒ−Ｅ／Ｏ）の発光波長を別にする。例えば、下り光送信器（Ｆ−Ｅ／Ｏ）１の下り光信号の発光波長を１．５５μｍ帯（または１．３１μｍ帯）、上り光送信器（Ｒ−Ｅ／Ｏ）１８上り信号の発光波長を１．３１μｍ帯（または１．５５μｍ帯）とする。図３の下り光送信器（Ｆ−Ｅ／Ｏ）１から送信される下り光信号は光波長フィルタ（ＷＤＭ）３０を通過して光信号切替器２の光スイッチ５で、光伝送ルートＡ、Ｂのいずれかに接続されて光パッシブ構成機器３の光カプラ（２×２）１３に送られ、その光カプラ１３で分岐されて一方のポートから出力される下り光信号は光波長フィルタ（ＷＤＭ）３１を通って光ノード４の下り光受信器（Ｆ−Ｏ／Ｅ）１６に送られ、電気信号に変換されて双方向増幅器１７を経て後段システムの増幅器等に出力される。
【００３１】
光カプラ１３の他方のポートから出力される下り信号は光ノード４へ到達する下り光信号のモニタ信号として２分配器１４に送られ、そこで２分配されて光伝送ルートＡ、Ｂに送り出され、光信号切替器２の光レベル検知器（ＤＥＴ（Ａ）、ＤＥＴ（Ｂ））６、７へフィードバックされる。この光信号レベルをモニタすることにより、運用系の光伝送ルートに破断等の障害が発生し、モニタレベルが低下した場合に、コントローラ８で光信号切替器２の出力系統を非運用系の光伝送ルートへ切替えることができる。光伝送ルートの切替え動作後に光ノード４に到達する光レベルが正常に復帰したか否かは、そのときモニタ用としてフィードバックされる光信号の光レベルをモニタすることにより確認することができる。
【００３２】
図３において、光ノード４の上り光送信器（Ｒ−Ｅ／Ｏ）１８からの上り光信号は光波長フィルタ（ＷＤＭ）３１を通過し、光カプラ１３で２分岐され、光伝送ルートＡ、Ｂを通って光スイッチ５へ入力され、光波長フィルタ（ＷＤＭ）３０を通って上り光受信器（Ｒ−Ｏ／Ｅ）３２へ送り込まれる。この冗長型光伝送システムでは光ノード４が冗長対応型へ交換されることなく、下り光信号と上り光信号が波長多重されて、共通の１心の光ファイバで同じ１台の光信号切替器２で光伝送ルートＡ、Ｂが切替えられて光伝送ルート冗長構成が構築される。図３の冗長型光伝送システムにおいて、光信号切替器２に下り光送信器（Ｆ−Ｅ／Ｏ）１からの光信号と波長多重された上り信号は光波長フィルタ（ＷＤＭ）３０、３１で分波される。この冗長型光伝送システムでは上り信号光受信器（Ｒ−Ｏ／Ｅ）３２を冗長対応型へ変換する必要がないためコスト削減につながる。
【００３３】
（実施形態４：図４の構成）
図４に本発明の冗長型光伝送システムの実施形態４を示す。この実施形態は使用する光ファイバ心数の増加を回避した図３の冗長型光伝送システムを、光ノードをセル分割して光ノードを増設する図２の冗長型光伝送システムへ応用したものである。
【００３４】
図４では下り光送信器（Ｆ−Ｅ／Ｏ）１及び増設分を含む光ノード４ａ〜４ｄへ内蔵される上り光送信器（Ｒ−Ｅ／Ｏ）１８の各光出力波長を別々（異なるもの）にし、例えば下り信号に１．３１μｍ帯、上り信号にＣＷＤＭ等で使用される波長を割り当てることにより、それら光信号を波長多重して共通の光ファイバで伝送する。センター側には下り光送信器（Ｆ−Ｅ／Ｏ）１から送信される下り光信号と波長多重される上り光信号を分波する光波長フィルタ（ＷＤＭ）３０が配置されている。
【００３５】
光ノード４ａ〜４ｄ側においては、下り信号を光パッシブ構成機器３に設けた光カプラ３３で分岐して増設される各光ノード４ａ〜４ｄへ光信号を分配するが、この光カプラ３３の手前に下り光信号と上りの光信号を分波する光波長フィルタ（ＷＤＭ）３１と、各光ノード４ａ〜４ｄに内蔵される上り光送信器（Ｒ−Ｅ／Ｏ）１８からの光出力信号を合波するための光波長フィルタ（ＷＤＭ）３４を設けてある。光波長フィルタ（ＷＤＭ）３４は光ノード４ａ〜４ｄの数に応じた各光送信器（Ｒ−Ｅ／Ｏ）１８の出力側に設置される。この冗長型光伝送システムは使用する光ファイバ心数を少なく抑えたものであり、且つセル分割も実現することができる。
【００３６】
（図４の動作説明）
図４の冗長型光伝送システムでは下り光送信器（Ｆ−Ｅ／Ｏ）１と光ノード４に内蔵される上り光送信器（Ｒ−Ｅ／Ｏ）１８の発光波長を別にする。例えば、下り光送信器（Ｆ−Ｅ／Ｏ）１の下り光信号の発光波長を１．３１μｍ帯、上り光送信器（Ｒ−Ｅ／Ｏ）１８から出力される上り信号の発光波長を１．５５μｍ帯とする。図４の下り光送信器（Ｆ−Ｅ／Ｏ）１から送信される下り光信号は光波長フィルタ（ＷＤＭ）３０を通過して光信号切替器２の光スイッチ５で、光伝送ルートＡ、Ｂのいずれかに接続されて光パッシブ構成機器３の光カプラ（Optical Coupler：２×２）１３に送られ、そこで分岐されて一方のポートから出力される下り光信号は光波長フィルタ（ＷＤＭ）３１を通って光カプラ（例えば１×４）３３に送られ、そこで４分岐されて各光ノード４ａ〜４ｄの下り光受信器（Ｆ−Ｏ／Ｅ）１６に送られ、電気信号に変換されて双方向増幅器１７を経て後段システムの増幅器等に出力される。
【００３７】
光カプラ（Optical Coupler：２×２）１３の他方のポートから出力される下り信号は光ノード４ａ〜４ｄへ到達する下り光信号のモニタ信号として光分岐器１４に送られ、ここで２分岐されて冗長された光伝送ルートＡ、Ｂを通って光信号切替器２へフィードバックされる。この光信号のレベルを光レベル検知器（ＤＥＴ（Ａ）、ＤＥＴ（Ｂ））でモニタすることにより、運用系の光伝送ルートに破断等の障害が発生し、モニタレベルが低下した場合に、コントローラ８で光信号切替器２を制御してその出力系統を非運用系の光伝送ルートへ切替えることができる。光伝送ルートの切替え動作後に光ノード４へ到達する光レベルが正常に復帰したか否かは、切替後にモニタ用としてフィードバックされるいずれかの光レベルをモニタすることにより確認することができる。
【００３８】
光ノード４ａ〜４ｄの上り光送信器（Ｒ−Ｅ／Ｏ）１８から送信される上り光信号は光波長フィルタ（ＷＤＭ）３４で合波されて光波長フィルタ（ＷＤＭ）３１に送られ、光カプラ（Optical Coupler：２×２）１３で２分岐されて光伝送ルートＡ、Ｂを通って光信号切替器２の光スイッチ５へ入力され、光波長フィルタ３０を通って上り光受信器（Ｒ−Ｏ／Ｅ）４３ａ〜４３ｄへ送り込まれる。この冗長型光伝送システムでは光ノード４ａ〜４ｄを冗長対応型へ交換することなく、下り光信号と上り光信号が波長多重されて、共通の１心の光ファイバで同じ１台の光信号切替器２で光伝送ルートＡ、Ｂが切替えられて光伝送ルート冗長が構築される。図４の冗長型光伝送システムでは、下り光送信器（Ｆ−Ｅ／Ｏ）１からの光信号と波長多重された上り信号は光波長フィルタ（ＷＤＭ）３０、３１で分波される。
【００３９】
（実施形態５）
図５に本発明の冗長型光伝送システムの実施形態５を示す。この実施形態は実用化へ向けた案として図２に示した光信号切替器２へのモニタ用フィードバック光信号と、光ノード４ａ〜４ｄから送信される上り光信号を波長多重することにより使用する光ファイバ心数を少なく抑えたシステムである。
【００４０】
図５はブロードキャスト信号伝送用の下り光送信器（Ｆ−Ｅ／Ｏ（Ａ）（Ｂ））５１と、それからの出力を光ノードの数に応じて分岐する光カプラ５２、分岐した夫々のブロードキャスト信号を増幅する光増幅器（ＦＡ）５３を２セット設け、夫々の光増幅器（ＦＡ）５３の出力を切替選択する光スイッチ（ＯＰＴ ＳＷ、２×１）５４、光カプラ５５を設け、既存の下り光送信器（Ｆ−Ｅ／Ｏ）１をナローキャスト信号伝送用として活用するようにしたものである。前記二つの下り光送信器（Ｆ−Ｅ／Ｏ（Ａ）（Ｂ））５１、光カプラ５２、光増幅器（ＦＡ）５３は機器冗長構成である。
【００４１】
図５の冗長型光伝送システムではそのシステム上に存在する下りナローキャストを除く他の光送信器（Ｆ−Ｅ／Ｏ）５１、（Ｒ−Ｅ／Ｏ）１８の発光波長を別々のもの（異なるもの）に設定する。本発明を実用化する際の障害となる要素に光ファイバを含めた光伝送路損失（ロス）の増加がある。光伝送路中に追加される光信号切替器、光カプラ、光波長フィルタ等は夫々数ｄＢ程度の挿入損失があるため、光受信器への到達光レベルが低下する。一般的に、光受信器にはその装置の性能を確保するため仕様で決められたレベル範囲での受光レベルが必要となる。伝送するＲＦ信号の波数が少なく、伝送周波数帯域幅の狭い上り信号系ではこれらの増加分ロスを吸収できる可能性が高く、無視することができるが、逆に下り信号系においてはこれを吸収することができない可能性が高い。その場合、光ノードへ到達する光受信レベルを確保するために、下り光送信器（Ｆ−Ｅ／Ｏ（Ａ）（Ｂ））５１を出力レベルの高いものに交換するか、下り光送信器（Ｆ−Ｅ／Ｏ（Ａ）（Ｂ））５１の発光波長を１．５５μｍ帯のものへ交換するかして、光ファイバ増幅器（ＦＡ）５３を使用する方法が考えられる。
【００４２】
光ファイバ増幅器（ＦＡ）５３を使用した冗長型光伝送システムでは、その出力レベルが１．３１μｍ帯の光送信器と比べて非常に高い出力レベルを得ることが可能であるため、各光ノードの分担エリアへ出力を多分配することができ、高価な光送信器の数を減らすことができる。また、例えば、下り光信号系に１５５０ｎｍの波長を使用した場合、既存の光ノード４ａに内蔵されている上り光送信器（Ｒ−Ｅ／Ｏ）１８の発光波長がＣＡＴＶシステムにおいては１．３１μｍ帯であるのが一般的であるため、セル分割された光ノード４ａ〜４ｄに内蔵される上り光送信器（Ｒ−Ｅ／Ｏ）１８の光信号波長をそれとは異なる波長でシステムを構成することが可能となる。これにより、光伝送システムに存在する下りナローキャスト用を除く他の光送信器（Ｆ−Ｅ／Ｏ（Ａ）（Ｂ））５１、（Ｒ−Ｅ／Ｏ）１８が異なる波長となるため、光信号切替器２にモニタ用としてフィードバックされる光信号と、光ノード４ａ〜４ｄに内蔵される光送信器（Ｒ−Ｅ／Ｏ）１８の各上り信号を、光パッシブ構成機器３において光波長フィルタ（ＣＷＤＭ）５７、５８にて合波する。
【００４３】
ＣＡＴＶ施設では、ＣＡＴＶインターネットの高速化等の理由で、あるエリアに対して他エリアとは異なる信号を配信するシステムに対応することができる。この場合は、既存の下り光送信器（Ｆ−Ｅ／Ｏ（Ｎ））１をナローキャスト伝送用として活用することができる。既存の下り光送信器（Ｆ−Ｅ／Ｏ（Ｎ））１に使用される波長はＣＡＴＶシステムでは１．３１μｍ帯が一般的であるため、下り光受信器（Ｆ−Ｏ／Ｅ）１６への到達光レベル確保のために構築された１．５５μｍ帯の下り光送信器（Ｆ−Ｅ／Ｏ）５１と、光ファイバ増幅器（ＦＡ）５３からなる光送信系統を、主に共通して配信される映像信号等の配信ブロードキャスト用とした場合、これと光信号切替器２の光波長フィルタ（ＷＤＭ）５６で合波して波長多重伝送することができる。この場合は光パッシブ構成機器３から光信号切替器２にモニタ用としてフィードバックされる光信号に１．３１μｍ帯が含まれるが、光ノード４ａ〜４ｄに内蔵される上り光送信器（Ｒ−Ｅ／Ｏ）１８の光信号と合波される手前（光パッシブ構成機器３内）に、もう一つの１．５５μｍ帯を入力とする光波長フィルタ（ＣＷＤＭ）５７を設けて、下り信号であるナローキャスト用の光信号をカットするようにしてある。光波長フィルタ（ＣＷＤＭ）５７の光出力は光波長フィルタ（ＷＤＭ）５８を通過して光カプラ５９に入力され、そこで２分岐されて光伝送ルートＡ、Ｂに送り出される。
【００４４】
図５の光信号切替器２の光レベル検知器（ＤＥＴ（Ａ）（Ｂ））６、７は図１の場合と同様に、モニタ信号の光レベルを検知するものであり、コントローラ（Cont）８は光スイッチ（ＯＰＴ ＳＷ：１×２）６０を制御して、下り光信号を光伝送ルートＡ、Ｂに切替えるためのものである。図５の光フィルタ６１内には光伝送ルートＡ、Ｂからの光信号を分波する光波長フィルタ（ＷＤＭ）６２、それらフィルタからの光信号を分波する光波長フィルタ（ＣＷＤＭ）６３が設けられており、その先には上り光受信器（Ｒ−Ｏ／Ｅ（Ａ）（Ｂ））６４、ＲＦスイッチ（ＲＦＳＷ）６５を備えている。
【図面の簡単な説明】
【００４５】
【図１】本発明の冗長型光伝送システムの一例であり、既存の非冗長型光ノードと光信号切替器を用いた場合を示す説明図。
【図２】本発明の冗長型光伝送システムの一例であり、図１を基にした小セル化によるシステム拡張例を示す説明図。
【図３】本発明の冗長型光伝送システムの一例であり、波長多重を利用した例を示す説明図。
【図４】本発明の冗長型光伝送システムの一例であり、波長多重を利用し小セル化によるシステム拡張例の説明図。
【図５】本発明の冗長型光伝送システムの一例であり、波長多重を利用し、システムに存在する下りナローキャスト用を除く他の光送信器の発光波長を別のものに設定する場合の、小セル化によるシステム拡張例の説明図。
【図６】従来の非冗長型光ノードと光システムの説明図。
【図７】従来の冗長型光ノードと光伝送ルート冗長システムの説明図。
【符号の説明】
【００４６】
Ａ、Ｂ  光伝送ルート
１  下り光送信器（Ｆ−Ｅ／Ｏ）
２  光信号切替器
３  光パッシブコンポーネント（光パッシブ構成機器）
４、４ａ〜４ｄ  光ノード
５  光スイッチ（ＯＰＴ ＳＷ）
６、７  光レベル検知器（ＤＥＴ（Ａ）、（Ｂ））
８  コントローラ（Cont）
９  ＳＮＭＰエージェント機能
１０、１１  上り光受信器（Ｒ−Ｏ／Ｅ(Ａ)、（Ｂ））
１２  ＲＦスイッチ（ＲＦＳＷ）
１３  光カプラ（Optical coupler）
１４、１５  光分配器
１６  下り光受信器（Ｆ−Ｏ／Ｅ）
１７  双方向増幅器
１８  上り光送信器（Ｒ−Ｅ／Ｏ）
２０  光カプラ
２１  光波長フィルタ（ＷＤＭ）
２４、２５  光波長フィルタ（ＷＤＭ−Ａ、ＷＤＭ−Ｂ）
３０  光波長フィルタ（ＷＤＭ）
３１  光波長フィルタ（ＷＤＭ）
３２  上り光受信器（Ｒ−Ｏ／Ｅ）
３３  光カプラ
３４  光波長フィルタ（ＷＤＭ）
５１  下り光送信器（Ｆ−Ｅ／Ｏ（Ａ）、（Ｂ））
４３ａ〜４３ｄ  上り光受信器（Ｒ−Ｏ／Ｅ）
５２  光カプラ
５３  光増幅器（ＦＡ）
５４  光スイッチ（ＯＰＴ ＳＷ：２×１）
５５  光カプラ
５７  光波長フィルタ（ＣＷＤＭ）
５８  光波長フィルタ（ＷＤＭ）
５９  光カプラ
６０  光スイッチ（ＯＰＴ ＳＷ：１×２）
６１  光フィルタ
６２  光波長フィルタ（ＷＤＭ）
６３  光波長フィルタ（ＣＷＤＭ）
６４  上り光受信器（Ｒ−Ｏ／Ｅ）
６５  ＲＦスイッチ（ＲＦＳＷ）
【図１】
2010081492.tif 000003
【図２】
2010081492.tif 000004
【図３】
2010081492.tif 000005
【図４】
2010081492.tif 000006
【図５】
2010081492.tif 000007
【図６】
2010081492.tif 000008
【図７】
2010081492.tif 000009